(57)【特許請求の範囲】
【請求項１】
空気調和機の室内機の側板の外面に縦姿勢取り付けられた電装品箱において、
前記電装品箱の内部に縦姿勢で配置される電源回路用部品を含む電源回路部と、前記電装品箱の内部に縦姿勢で前記電源回路部と横並びに配置される制御回路部と、前記電装品箱の内部に縦姿勢で前記制御回路部の下方に前記電源回路部と横並びに配置される端子台取付具と、該端子台取付具に取り付けられ前記電源回路部に接続される電源端子台と、前記端子台取付具に取り付けられ前記制御回路部に接続される制御端子台とを備え、
前記電源回路部および前記制御回路部に搭載される電子部品のうち耐熱温度が高い電子部品は上方に配置され、耐熱温度が低い電子部品は下方に配置され、
前記端子台は前記制御端子台の下方に配置されていることを特徴とする電装品箱。
【請求項２】
請求項１に記載の電装品箱において、
前記制御端子台と前記制御回路部を接続する制御用の配線は、前記電源回路部の電源用の配線と交差しないように配線されていることを特徴とする電装品箱。
【発明の詳細な説明】
【技術分野】
【０００１】
本発明は、空気調和機を制御する制御回路が搭載される空気調和機の電装品箱に関する。
【背景技術】
【０００２】
空気調和機には、空気調和機の運転を制御するするための電源回路部や制御回路部を内部に含む電装品箱が室内機に備えられている。
【０００３】
この電源回路部は、商用電源を取り込みＡＣ／ＤＣ変換して内部直流電源を生成する。また、制御回路部は、リモコンから送信されるリモコン信号や空気調和機に備えられた各種センサ等による検出信号に応じて空気調和機を制御する。これらの電源回路部や制御回路部は、それぞれ多数の電子部品によって構成されている（例えば、特許文献１）。
【先行技術文献】
【特許文献】
【０００４】
【特許文献１】特開平１１−２３０５６９号公報
【発明の概要】
【発明が解決しようとする課題】
【０００５】
ところが、一般的に、電装品箱は専用の放熱ファンなどによる強制排熱が行われないので、電装品箱筐体内の上部に熱がこもりやすく、当該上部に耐熱温度の低い電子部品、たとえば平滑コンデンサ等の電子部品を配置すると、当該電子部品の寿命が短くなる恐れがある。
【０００６】
本発明の目的は、電装品箱の内部の上部にこもる熱により電子部品の寿命が短くならないようにした電装品箱を提供することである。
【課題を解決するための手段】
【０００７】
上記目的を達成するために、請求項１にかかる発明は、空気調和機の室内機の側板の外面に縦姿勢取り付けられた電装品箱において、前記電装品箱の内部に縦姿勢で配置される電源回路用部品を含む電源回路部と、前記電装品箱の内部に縦姿勢で前記電源回路部と横並びに配置される制御回路部と、前記電装品箱の内部に縦姿勢で前記制御回路部の下方に前記電源回路部と横並びに配置される端子台取付具と、該端子台取付具に取り付けられ前記電源回路部に接続される電源端子台と、前記端子台取付具に取り付けられ前記制御回路部に接続される制御端子台とを備え、前記電源回路部および前記制御回路部に搭載される電子部品のうち耐熱温度が高い電子部品は上方に配置され、耐熱温度が低い電子部品は下方に配置され、前記端子台は前記制御端子台の下方に配置されていることを特徴とする。
【発明の効果】
【０００８】
本発明によれば、電装品箱内部にこもる熱により耐熱温度の低い電子部品の寿命が短くなることを防止できる。
【図面の簡単な説明】
【０００９】
【図１】空気調和機の室内機の斜視図である。
【図２】本発明の電装品箱の本体の正面図である。
【図３】本発明の電装品箱の本体の底面図である。
【図４】本発明の電装品箱の本体の右側面図である。
【図５】本発明の電装品箱の内部の概略配線図である。
【発明を実施するための形態】
【００１０】
図１に空気調和機の室内機を示す。この室内機は室内機本体１００と電装品箱２００とで構成されている。室内機本体１００は、室内の空気を吸い込む空気吸込口１０１と、吸い込んだ空気を冷媒と熱交換して室内に吹き出す空気吹出口１０２と、その吸込口１０１と吹出口１０２の間を接続する内部の空気流通路に配置されたファン装置（図示せず）と熱交換器１０３を備える。そして、その室内機本体１００の空気吹出口１０２の側からみて右側の右側面板１０４の外面に、電装品箱２００が縦姿勢で取り付けられている。
【００１１】
この電装品箱２００は、板金製の筐体本体２１１とその筐体本体２１１の正面を閉じる板金製の蓋体２１２とで構成されている筐体２１０を有する。
【００１２】
蓋体２１２は、図１に示すように、正面板２１２Ａと、その正面板２１２Ａの上部を折り曲げて形成した上面板２１２Ｂと、正面板２１２Ａの下部を上面板２１２Ｂと同じ側に折り曲げて形成した下面板２１２Ｃとで構成されている。つまり、蓋体２１２は、正面板２１２Ａ、上面板２１２Ｂ、および下面板２１２Ｃにより、縦方向にほぼコ字形状となっている。
【００１３】
筐体本体２１１は、図２に示すように、電装品箱２００を室内機本体１００の右側面板１０４の外面に取り付けたとき縦姿勢となる底面板２１１Ａと、その底面板２１１Ａの左側を折り曲げて形成した左側面板２１１Ｂと、底面板２１１Ａの右側を左側面板２１１Ｂと同じ側に折り曲げて形成した右側面板２１１Ｃとを備える。つまり、筐体本体２１１は、底面板２１１Ａ、左側面板２１１Ｂ、および右側面板２１１Ｃにより、横方向にほぼコ字形状となっている。そして、底面板２１１Ａの上部には、室内機本体１００の右側面板１０４にネジで取り付けるための上部取付片２１１Ａ１が形成され、底面板２１１Ａの下部にも、同様の下部取付片２１１Ａ２が形成されている。
【００１４】
筐体本体２１１の底面板２１１Ａには、図２に示すように、右側面板２１１Ｃと下部取付片２１１Ａ２で囲まれた右下隅に、底面板２１１Ａに平行に端子台取付具２２０が取り付けられている。また、その端子台取付具２２０の左隣に、底面板２１１Ａに平行なフィルタ基板２３０が取り付けられている。また、左側面板２１１Ｂと下部取付片２１１Ａ２で囲まれた左下隅の底面板２１１Ａに、平滑コンデンサ２４０が取り付けられている。また、フィルタ基板２３０の左側上隣の底板板２１１Ａに、正の温度係数のサーミスタ２５０が取り付けられている。また、そのサーミスタ２５０の上隣の底面板２１１Ａに、ダイオードブリッジ２６０が取り付けられている。また、左側面板２１１Ｂと上部取付片２１１Ａ１で囲まれた左上隅の底面板２１１Ａに、リアクタ２７０が取り付けられている。また、サーミスタ２５０、ダイオードブリッジ２６０およびリアクタ２７０の右隣に、底面板２１１Ａに平行に電源基板２８０が取り付けられている。また、上部取付片２１１Ａ１と右側面板２１１Ｃで囲まれた右上隅に、底面板２１１Ａに平行に操作基板２９０が取り付けられている。また、その操作基板２９０と端子台取付具２２０との間の底面板２１１Ａに、制御基板３００が取り付けられている。右側面板２１１Ｃにおける端子台取付具２２０に隣接する部分には、図１、図４に示すように、配線挿通プレート３１０が取り付けられている。
【００１５】
図５に示すように、フィルタ基板２３０、平滑コンデンサ２４０、サーミスタ２５０、ダイオードブリッジ２６０、リアクタ２７０、および電源基板２８０は、電源回路部２００Ａを構成する。また、操作基板２９０および制御基板３００は、制御回路部２００Ｂを構成し、電源回路部２００Ａから電源供給を受けて動作する。
【００１６】
端子台取付具２２０には、図２において、下側に電源端子台２２１、上側に制御端子台２２２、左側にヒューズホルダ２２３が、それぞれ搭載されている。そして、制御端子台２２２は制御基板３００に隣接して配置されている。電源端子台２２１に接続され外部に引き出される電源ケーブル（図２では図示せず）は、図４に示す右側面板２１１Ｃの配線挿通プレート３１０の挿通孔３１１から引き出される。また、制御端子台２２２に接続され外部に引き出される制御ケーブル（図２では図示せず）は、図４に示す配線挿通プレート３１０の挿通孔３１２から引き出される。
【００１７】
フィルタ基板２３０にはコイル２３１が搭載され、サーミスタ２５０と共働してサージ電流吸収や外来ノイズ吸収や起動時の平滑コンデンサ２４０への突入電流抑制を行う。平滑コンデンサ２４０とダイオードブリッジ２６０は商用交流電源を整流して平滑する回路を構成する。リアクタ２７０は、電源基板２８０に搭載されたスイッチング電源回路に組み込まれ、昇圧あるいは降圧のために使用される。
【００１８】
操作基板２９０には、人が手で操作する複数個の操作スイッチ２９１が取り付けられ、空気調和機の制御のためのパラメータ設定やアドレス設定等がここを操作することで行われる。制御基板３００には、リモコンから受信したリモコン信号や空気調和機の室内機あるいは室外機に取り付けた各種センサの検出信号に応じて空気調和機を制御する制御通信回路が搭載されている。
【００１９】
以上のように、本実施例では、平滑コンデンサ２４０、サーミスタ２５０、ダイオードブリッジ２６０等のような耐熱温度の低い電子部品や、同様に耐熱温度の低い電子部品を搭載したフィルタ基板２３０等を、底面板２１１Ａの上下方向の中央から下方に配置している。また、リアクタ２７０のような耐熱温度の高い電子部品や、電源基板２８０、操作基板２９０、制御基板３００等のように耐熱温度の高い電子部品を搭載した基板を、底面板２１１Ａの上下方向の中央から上方に配置している。なお、制御基板２０に含まれる耐熱温度の低いコンデンサ等の電子部品は制御端子台２２２に近い側に配置される。これらによって、電装品箱２００の筐体２１０の内部上方に熱がこもっても、耐熱温度の低い電子部品はこもった熱にさらされることがないため、寿命が短くなることを防止することができる。
【００２０】
また、端子台取付具２２０、フィルタ基板２３０、平滑コンデンサ２４０、サーミスタ２５０、ダイオードブリッジ２６０、リアクタ２７０、電源基板２８０、操作基板２９０、および制御基板３００に接続する配線（複数本の束）は、図５に示すように行われる。
【００２１】
４０１は電源端子台２１１とフィルタ基板２３０を接続する配線、４０２はフィルタ基板２３０と制御基板３００を接続する配線、４０３はフィルタ基板２３０とサーミスタ２５０を接続する配線、４０４はフィルタ基板２３０とリアクタ２７０を接続する配線、４０５はフィルタ基板２３０とダイオードブリッジ２６０を接続する配線、４０６は平滑コンデンサ２４０と電源基板２８０を接続する配線、４０７は平滑コンデンサ２４０とダイオードブリッジ２６０を接続する配線、４０８はダイオードブリッジ２６０とリアクタ２７０を接続する配線、４０９は電源基板２８０と制御基板３００を接続する配線、４１０は制御端子台２２２と制御基板３００を接続する配線、４１１は制御基板３００と操作基板２９０を接続する配線である。以上において、配線４０１〜４０９は電源用、配線４１０，４１１は制御通信用である。
【００２２】
このように、電源回路部２００Ａでは、例えば、電源用の配線４０５〜４０７が互いに交差して配線されている。しかし、制御回路部２００Ｂでは、制御端子台２２２と制御基板３００との間を接続する配線４１０や操作基板２９０と制御基板３００の間を接続する配線４１１等の制御通信用の配線は、電源回路部２００Ａの電源用の配線４０１〜４０９と近接せずまた全く交差せず配置されている。これによって、それらの配線４１０、４１１に対して電源回路部２００Ａの配線で発生する電源ノイズが誘導され、制御通信信号に悪影響を及ぼすことを防止することができる。
【符号の説明】
【００２３】
１００：室内機、１０１：空気吸込口、１０２：空気吹出口、１０３：熱交換器、１０４：右側面板
２００：電装品箱
２１０：筐体、２１１：筐体本体、２１１Ａ：底面板、２１１Ａ１：上部取付片、２１１Ａ２：下部取付片、２１１Ｂ：左側板、２１１Ｃ：右側板、
２２０：端子台取付具、２２１：電源端子台、２２２：制御端子台、２２３：ヒューズホルダ
２３０：フィルタ基板、２３１：コイル
２４０：平滑用コンデンサ
２５０：サーミスタ
２６０：ダイオードブリッジ
２７０：リアクタ
２８０：電源基板
２９０：操作基板、２９１：操作スイッチ
３００：制御基板
３１０：配線挿通プレート、３１１、３１２：配線挿通孔
４０１〜４１１：配線
【図１】
0006380137.tif 000002
【図２】
0006380137.tif 000003
【図３】
0006380137.tif 000004
【図４】
0006380137.tif 000005
【図５】
0006380137.tif 000006